(57)【要約】【課題】  ホースをはじめとする被巻き取り物を整然と巻き取ると同時に、リールからホースを引き出すときには、巻き取りのためのガイド部材が邪魔をせず、スムーズに引き出せるようにする。【解決手段】  被巻き取り物を巻き取る回転リールを有し、巻き取り時に被巻き取り物をガイド部材の拘束下にリール軸方向へ移動させることにより、整然とした巻き取りを行うガイド付き巻き取りリール装置について、回転リール１２を取り付けているフレーム１３、１４に、回転リール１２の軸方向と平行にしたガイドシャフト２０を具備するとともに、ガイド部材３０をガイドシャフト２０に取り付け、被巻き取り物１１の巻き取り時に被巻き取り物１１を拘束下に置くため、ガイド部材３０をガイドシャフト２０と平行な拘束軸４０に沿って移動可能に設け、引き出し時には被巻き取り物１１を拘束しないようにガイド部材３０を拘束軸４０から外し退避位置に置く。【選択図】          図１
2005330057.tif 000002
【特許請求の範囲】
【請求項１】
ホースやコードその他の被巻き取り物を巻き取る回転リールを有し、巻き取り時に被巻き取り物をガイド部材の拘束下にリール軸方向へ移動させることにより、整然とした巻き取りを行うガイド付き巻き取りリール装置であって、回転リールを取り付けているフレームに、回転リールの軸方向と平行にガイドシャフトを具備するとともに、ガイド部材をガイドシャフトに取り付け、被巻き取り物の巻き取り時に被巻き取り物を拘束下に置くため、ガイド部材をガイドシャフトと平行な拘束軸に沿って移動可能に設け、引き出し時には被巻き取り物を拘束しないようにガイド部材を拘束軸から外し退避位置に置くことを特徴とするガイド付き巻き取りリール装置。
【請求項２】
ガイドシャフトは、回転リールの軸方向と平行に側方に配置されており、ガイドシャフトの上部に拘束軸、またガイドシャフトの下部に退避位置における固定のための側軸が設けられている請求項１記載のガイド付き巻き取りリール装置。
【請求項３】
ガイドシャフトは、回転リールと連動して回転可能であり、シャフト周面にらせん状に形成したガイド溝を有し、ガイド溝に係合する係合手段として、ガイド溝に嵌まり込み、かつガイド溝に合わせて向きを変え得るガイド子を有している請求項１又は２記載のガイド付き巻き取りリール装置。
【請求項４】
ガイド部材は、ガイドシャフトに挿通する軸穴を設けた基部を有しており、かつ基部から並行に立ち上がる一対のガイド部を有していて、一対のガイド部の先端には、拘束軸と側軸に夫々係合する係合凹部を、前面及び後面に設けた構成を有している請求項２記載のガイド付き巻き取りリール装置。
【発明の詳細な説明】
【技術分野】
【０００１】
本発明は、ホースやコードその他の被巻き取り物を巻き取る回転リールを有し、巻き取り時に被巻き取り物をガイド部材の拘束下にリール軸方向へ移動させることにより、整然とした巻き取りを行うガイド付き巻き取りリール装置に関するものである。
【背景技術】
【０００２】
例えば水栓に接続して、離れた場所での給水を可能にするためにホースリールなどと称するものがあり、使用しないときにホースをリールに巻き取っておくことができる。ホースをリールに単に巻き取るだけでは乱巻きとなり、ホースがよじれたり、巻き込み、引き出しがスムーズに行われなくなるという問題が生じるため、ホースを巻き取りリールに整然と巻き取る技術が開発された。その例としては、特開平６−１００２４７号及び特開２００３−３２１１６５号がある。
【０００３】
特開平６−１００２４７号の発明は、交差ネジ溝と称するガイド溝を有する回転軸をリール側板間に取り付け、交差ネジ溝に係合する係合体をホース案内体に回動可能に設け
て、リール本体の巻き取り回転に連動してホース案内体を左右へ移動可能とし、ホースをリール本体に整然と巻き取る構成を有する。また特開２００３−３２１１６５号の発明も期せずして同じ発想を有している。
【０００４】
しかし、実際に使用して見ると、ホースを巻き取るときにはホース案内体が巻き取りに連動して自動的に左右に移動するので、全く問題はないのに対して、逆にホースを引っ張り出すときにはホース案内体が抵抗となり、時としてホースを引き出しにくいということが指摘された。特にドラム状のリールに巻き取られているホースがたるんだりからんだりした場合には、ホースを引き出せないときがある、という問題があった。
【０００５】
【特許文献１】特開平６−１００２４７号
【特許文献２】特開２００３−３２１１６５号
【発明の開示】
【発明が解決しようとする課題】
【０００６】
本発明は前記の点に着目してなされたもので、その課題は、ホースをはじめとする被巻き取り物を整然と巻き取ると同時に、リールからホースを引き出すときには、巻き取りのためのガイド部材が邪魔をせず、スムーズに引き出せるようにすることである。また本発明の他の課題は、ワンタッチ操作で巻き取り位置にも退避位置にもガイド部材を位置決めすることができるガイド付き巻き取りリール装置を提供することである。
【課題を解決するための手段】
【０００７】
前記の課題を解決するため、本発明は、ガイド付き巻き取りリール装置について、回転リールの軸方向と平行にガイドシャフトを具備するとともに、ガイド部材をガイドシャフトに取り付け、被巻き取り物の巻き取り時に被巻き取り物を拘束下に置くため、ガイド部材をガイドシャフトと平行な拘束軸に沿って移動可能に設け、引き出し時には被巻き取り物を拘束しないようにガイド部材を拘束軸から外し退避位置に置くという手段を講じたものである。本発明において対象となる被巻き取り物は、前述の水栓に接続するホースのようなものであるが、このホースのように巻き取り時にも一定の外形を保っているもの、例えばコードやケーブルなども本発明の対象となる。
【０００８】
ガイド部材は、ホースなどの被巻き取り物を、回転リールの回転に伴う、巻き取り作業の進行につれて、回転リールの軸方向へ移動させるために、拘束下に置くものである。ガイド部材は、ガイドシャフトに取り付けられ、ガイドシャフトは、回転リールを取り付けているフレームに、回転リールの軸方向と平行に設けられている。ガイド部材は、上記のとおり、ガイドシャフトに取り付けられ、一方では、ガイドシャフトと平行な拘束軸に沿って移動可能に設けられる。その結果、ガイド部内でしかもガイドシャフトと拘束軸とで囲まれた領域が形成され、それがガイド領域となって被巻き取り物を拘束下に置くことになる。しかし、被巻き取り物を引き出すときには、抵抗とならず、被巻き取り物を拘束しないように、ガイド部材を拘束軸から外し、退避位置に置くものとする。退避位置ではガイド部材を固定しても良いし、また固定しなくても良い。
【０００９】
ガイドシャフトは、回転リールと連動して回転可能であることが望ましく、ガイドシャフトとガイド部材との係合により、回転リールの回転に伴って、ガイド部材を回転リールの軸方向へ移動可能とすることができる。このため、ガイドシャフトのシャフト周面にはらせん状にガイド溝を設け、ガイド溝に係合する係合手段として、ガイド溝に嵌まり込みかつガイド溝に合わせて向きを変え得るガイド子を組み合わせ、ホースの巻き取り動作に連動してガイド部材が回転リールの軸方向へ自動的に移動するものとする。この、回転リールに連動するガイド部材の移動機構は、基本的には、前記特許文献１及び２に記載されているものと同じで良い。
【００１０】
ガイド部材は、ガイドシャフトに挿通する軸穴を設けた基部を有しており、かつ基部から並行して立ち上がる一対のガイド部を有している。また、一対のガイド部の先端部に
は、拘束軸と側軸に夫々係合する係合凹部を、前面及び後面に設けることが望ましい。このような構成によって、ガイド部材をワンタッチで拘束位置及び退避位置に位置決めすることができる。ガイド部材は複数部分に分割し、それらを組み立てることによって１個のガイド部材となるように構成することができ、そうすることによって、ガイド溝に嵌まり込ませるガイド子を確実に、かつ目立たないように、設けることができる。
【発明の効果】
【００１１】
本発明は以上の如く構成され、かつ作用するものであるから、ホースをはじめとする被巻き取り物を整然と巻き取ることができ、またリールからホースを引き出すときには、巻き取りのためのガイド部材を退避位置に置くので、ホースがガイド部材に抵触することがなく、邪魔にならないためホースをスムーズに引き出せるようになり、また、ガイド部材を拘束軸から外すだけで退避位置になり、操作の簡単なガイド付き巻き取りリールに装置を提供することができる。
【発明を実施するための最良の形態】
【００１２】
以下図示の形態を参照して、本発明をより詳細に説明する。図１は、本発明に係るガイド付き巻き取りリール装置１０の全体図であり、例示の装置１０は、被巻き取り物のホース１１を巻き取る回転リール１２を、フレームを構成する左右の側枠間に回転可能に取り付けたものである。フレームは左右の側枠１３、１４と、両側枠１３、１４に備わる、軸受を設けた架材１５、１６と、を有している。左右の側枠１３、１４はパイプ状部材から成り、回転リール１２を囲む彎曲部と脚部１７、１８とを有する、ほぼ逆Ｕ字形の形状を有している。図２〜図４参照。
【００１３】
右側枠１４の軸受部には、回転リール１２を回転させる主導ハンドル１９、及び回転リール１２と一体に回転する駆動スプロケットホイール２１が設けられている。従動スプロケットホイール２２は、フレームの張り出した脚部１８側に軸支された、ガイドシャフト２０の端部に取り付けられており、両スプロケットホイール２１、２２間にはタイミングベルトより成る連動索２３を掛け回して、回転リール１２の１回転に対し、ガイドシャフト２０も１回転するように設けられている。図２、図５参照。連動索２３は、タイミングベルトのほかチェンでも良く、両スプロケットホイール２１、２２の同期回転を保証す
る。ガイドシャフト２０は、回転リール１２の軸方向側方に位置し、表面にらせん状のガイド溝２４が左から右及び右から左に２条形成されているもので、両溝条は端部２５でつながっている（図９参照）。なお、２６は索カバーを示す。
【００１４】
ガイド部材３０は、上記ガイドシャフト２０に挿通する軸穴３１を基部３２に有しており、図６、図７にその１例を示すように、例示のガイド部材３０は前面部３３と後面部３４とに分割され、これらをねじ止めにより組み立てることによって１個の部材となるように構成されている。前面部３３及び後面部３４には、基部３２から並行して立ち上がるガイド部３５、３５、３６、３６が下半部で幅広く、上半部で幅狭く設けられており、幅狭い上半部ではホース１本を通す程度とされ、幅広い下半部にはホース１１を受け支えるガイドロール２９が設けられている。
【００１５】
また、ガイド部材３０の前面部基部３２には、軸穴３１に通じる円形孔３７が開口させてあり、円形孔３７には、ガイドシャフト２０のガイド溝２４に嵌まり込む先端２８を有するガイド子２７が自由に回転し得るようにセットされている（図８参照）。ガイド子２７は、円形孔３７にセットされた状態で、ガイド部材３０の前面部３３と後面部３４が一体に組み合わされているものの中に収まり、このため特許文献１等に見られるほどガイド子２４の取り付け部が突出せず、スマートに形成される。３８は、円形孔覆い、３９はねじ孔であり、前後両面部３３、３４を結合するタッピングねじの下孔が形成されている。
【００１６】
さらにガイド部材３０は、一対のガイド部３５、３５の先端に、後述する拘束軸４０と側軸４１に夫々係合する係合凹部４２、４３を前面及び後面に設けた構成を有している。上記の拘束軸４０は、ガイドシャフト２０の上部に位置するようにフレームの左右両側枠１３、１４に取り付けられており、また側軸４１は、ガイドシャフト２０の下部に位置するように同じく左右両側枠１３、１４に取り付けられている。従って、ガイドシャフト２０から拘束軸４０までの距離は軸穴３１から後面の係合凹部４２までの距離に等しく、ガイドシャフト２０から側軸４１までの距離は軸穴３１から前面の係合凹部４３までの距離に等しい。係合凹部４２、４３は拘束軸４０及び側軸４１と夫々弾性変形によって嵌合するもので、ガイド部材３０の位置決めをワンタッチ操作で行うことを可能にしている。
【００１７】
このように構成された本発明に係るガイド付き巻き取りリール装置１０では、ホース１１の基端を回転リール１２の端に設けられている継手４４に接続しておき、ガイド部材３０を拘束軸４０に固定してその中にホース１１を通した状態でハンドル１９を回し巻き取るものである。図１はハンドル１９を右回転してホース１１の巻き取りを終えた状態であり、巻き取り操作により回転リール１２とガイドシャフト上を左から右、そしてまた左へと移動を繰り返すので、ホース１１を整然と巻き取られている状態を示すものである。
【００１８】
これに対して、巻き取り状態からホース１１を引き出すときには、ホース１１を引っ張ってもガイド部材３０がスムーズにガイドシャフト上を移動するという訳には行かず、抵抗となるので、ガイド部材３０を拘束軸４０から外して側軸４１に固定する。この操作はガイド部材３０のガイド部３５、３５先端が開いているので、ホース１１を楽に通すことができる。その結果、ガイド部材３０はホース１１の引き出しの抵抗になることがないので、ホース１１をスムーズに引き出すことができるようになる。このようなガイド部材３０の拘束軸４０又は側軸４１への嵌め外しもワンタッチで行われるので大変操作性が良い。なお、４５は取っ手を示しており、左右側枠間の上端部付近に設けられている。
【産業上の利用可能性】
【００１９】
本発明の装置はホースリール用として開発されかつ説明されているが、これをコードリールやケーブルリールに適用することは極めて容易である。
【図面の簡単な説明】
【００２０】
【図１】本発明に係るガイド付き巻き取りリール装置の１実施例を示す斜視図。
【図２】同上のものの側面図。
【図３】同じく正面図。
【図４】同じく連動機構部分を示す平面図。
【図５】同上の要部を拡大して示す側面図。
【図６】Ａはガイド部材前面部の側面図。Ｂは同じく正面図。
【図７】Ａはガイド部材後面部の側面図。Ｂは同じく正面図。
【図８】ガイドシャフトとガイド部材との係合関係を示す断面図。
【図９】ガイドシャフトの要部拡大図。
【符号の説明】
【００２１】
１０  ガイド付き巻き取りリール装置
１１  ホース
１２  回転リール
１３、１４  側枠
１９  ハンドル
２０  ガイドシャフト
２１、２２スプロケットホイール
２３  連動索
２７  ガイド子
２８  ガイド子の先端
２９  ガイドロール
３０  ガイド部材
３１  軸穴
３２  基部
３５、３６  ガイド部
３７  ガイド子
４０  拘束軸
４１  側軸
４２、４３  係合凹部
【図１】
2005330057.tif 000003
【図２】
2005330057.tif 000004
【図３】
2005330057.tif 000005
【図４】
2005330057.tif 000006
【図５】
2005330057.tif 000007
【図６】
2005330057.tif 000008
【図７】
2005330057.tif 000009
【図８】
2005330057.tif 000010
【図９】
2005330057.tif 000011